【手続補正書】
【提出日】平成19年12月3日(2007.12.3)
【手続補正１】
【補正対象書類名】明細書
【補正対象項目名】特許請求の範囲
【補正方法】変更
【補正の内容】
【特許請求の範囲】
【請求項１】  維持放電電極間に第１の電圧を印加して表示セルにて放電を行うプラズマディスプレイ装置の駆動方法であって、
上記維持放電電極間での維持放電により上記表示セルを選択するためのアドレス電極上に形成された、壁電荷を除去するための除去工程を設けたことを特徴とするプラズマディスプレイ装置の駆動方法。
【請求項２】  上記除去工程は、上記維持放電電極の少なくとも一方の電極に第２の電圧を印加する壁電荷形成工程と、上記アドレス電極に第３の電圧を印加する自己消去工程とを備え、
上記第２の電圧は、上記自己消去工程にて上記アドレス電極と上記維持放電電極の少なくとも一方の電極との間で自己消去放電が可能な壁電荷を、上記維持放電電極間での維持放電により上記アドレス電極上に形成する電圧であることを特徴とする請求項１に記載のプラズマディスプレイ装置の駆動方法。
【請求項３】  上記壁電荷形成工程は、上記維持放電電極の一方の電極に上記第２の電圧を印加し、他方の電極はグランドレベルにすることを特徴とする請求項２に記載のプラズマディスプレイ装置の駆動方法。
【請求項４】  上記壁電荷形成工程は、上記維持放電電極の一方の電極に上記第２の電圧を印加した後、他方の電極に上記第２の電圧を印加することを特徴とする請求項２に記載のプラズマディスプレイ装置の駆動方法。
【請求項５】  上記除去工程は、リセット工程、アドレス工程および維持放電工程により構成されるサブフィールド間に設けたことを特徴とする請求項１に記載のプラズマディスプレイ装置の駆動方法。
【請求項６】  維持放電電極間に第１の電圧を印加して表示セルにて放電を行うプラズマディスプレイ装置の駆動方法であって、
上記維持放電電極間での維持放電を行った後、上記維持放電電極の少なくとも一方の電極に、上記維持放電を行うパルスを生成するための電源電圧の２倍の電圧を有する第２の電圧を印加し、上記第２の電圧の印加時または印加後に、上記表示セルを選択するためのアドレス電極に第３の電圧を印加するようにしたことを特徴とするプラズマディスプレイ装置の駆動方法。
【請求項７】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｘ電極に上記第２の電圧を印加することを特徴とする請求項６に記載のプラズマディスプレイ装置の駆動方法。
【請求項８】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｙ電極に上記第２の電圧を印加することを特徴とする請求項６に記載のプラズマディスプレイ装置の駆動方法。
【請求項９】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｙ電極に上記第２の電圧を印加した後、上記Ｘ電極に上記第２の電圧を印加することを特徴とする請求項６に記載のプラズマディスプレイ装置の駆動方法。
【請求項１０】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｘ電極に上記第２の電圧を印加した後、上記Ｙ電極に上記第２の電圧を印加することを特徴とする請求項６に記載のプラズマディスプレイ装置の駆動方法。
【請求項１１】  維持放電電極間に第１の電圧を印加して表示セルにて放電を行うプラズマディスプレイ装置の駆動方法であって、
上記維持放電電極の少なくとも一方の電極に、上記維持放電電極間での維持放電のための最後のパルスとして、上記維持放電を行うパルスを生成するための電源電圧の２倍の電圧を有する第２の電圧を印加し、上記第２の電圧の印加時または印加後に、上記表示セルを選択するためのアドレス電極に第３の電圧を印加するようにしたことを特徴とするプラズマディスプレイ装置の駆動方法。
【請求項１２】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｘ電極に上記第２の電圧を印加することを特徴とする請求項１１に記載のプラズマディスプレイ装置の駆動方法。
【請求項１３】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｙ電極に上記第２の電圧を印加することを特徴とする請求項１１に記載のプラズマディスプレイ装置の駆動方法。
【請求項１４】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｙ電極に上記第２の電圧を印加した後、上記Ｘ電極に上記第２の電圧を印加することを特徴とする請求項１１に記載のプラズマディスプレイ装置の駆動方法。
【請求項１５】  上記維持放電電極は、維持放電パルスにより共通に駆動されるＸ電極と、維持放電パルスにより共通に駆動されるとともに、スキャンパルスにより個別に駆動されるＹ電極とからなり、
上記Ｘ電極に上記第２の電圧を印加した後、上記Ｙ電極に上記第２の電圧を印加することを特徴とする請求項１１に記載のプラズマディスプレイ装置の駆動方法。
【請求項１６】  維持放電電極間に第１の電圧を印加して表示セルにて放電を行うプラズマディスプレイ装置であって、
上記維持放電電極の少なくとも一方の電極に第２の電圧を印加し、上記表示セルを選択するためのアドレス電極に第３の電圧を印加するための制御回路を備え、
上記第２の電圧は、上記第３の電圧により上記アドレス電極と上記維持放電電極の少なくとも一方の電極との間で自己消去放電が可能な壁電荷を、上記維持放電電極間での維持放電により上記アドレス電極上に形成する電圧であることを特徴とするプラズマディスプレイ装置。
【請求項１７】  維持放電電極間に第１の電圧を印加して表示セルにて放電を行うプラズマディスプレイ装置であって、
上記維持放電電極間での維持放電を行った後、上記維持放電電極の少なくとも一方の電極に、上記維持放電を行うパルスを生成するための電源電圧の２倍の電圧を有する第２の電圧を印加し、上記第２の電圧の印加時または印加後に、上記表示セルを選択するためのアドレス電極に第３の電圧を印加するための制御回路を備えたことを特徴とするプラズマディスプレイ装置。
【手続補正２】
【補正対象書類名】明細書
【補正対象項目名】０１０１
【補正方法】変更
【補正の内容】
【０１０１】
【発明の効果】
本発明によれば、維持放電電極間に形成された表示セルを選択するためのアドレス電極上に維持放電電極間での維持放電により形成された壁電荷を除去するための除去工程を設けたので、維持放電により形成された壁電荷の影響を受けずに、表示データに従い点灯させるセルを正確に選択することができ、プラズマディスプレイ装置の駆動マージンや表示品位の劣化を抑制することができる。